【手続補正書】
【提出日】平成27年7月28日(2015.7.28)
【手続補正１】
【補正対象書類名】特許請求の範囲
【補正対象項目名】全文
【補正方法】変更
【補正の内容】
【特許請求の範囲】
【請求項１】
１つ又は複数のプロセッサが、決済手段に対する過去の行為及び前記決済手段と関連付けられる１つ又は複数の資金口座にまたがる過去の行為を特徴づける決済手段プロファイルを生成するステップと、
前記１つ又は複数のプロセッサが、前記決済手段に対する現在の行為及び前記決済手段と関連付けられる１つ又は複数の資金口座にまたがる現在の行為を監視して、前記決済手段プロファイルに反する異常性を検出するステップと、
前記１つ又は複数のプロセッサが、前記決済手段に対する前記現在の行為及び前記決済手段と関連付けられる１つ又は複数の資金口座にまたがる現在の行為に対する不正スコアを生成して、前記不正スコアは前記異常性の定量化された程度に基づくステップと、
を備えるコンピュータ実装された方法。
【請求項２】
前記１つ又は複数のプロセッサが監視するステップは、前記決済手段と関連付けられる前記１つ又は複数の資金口座のうちの選択された資金口座が、前記決済手段に対する前記現在の行為内及び前記決済手段と関連付けられる１つ又は複数の資金口座にまたがる現在の行為内の金融トランザクションのために使用される１つ又は複数の確率分布を計算するステップ
を含む、請求項１記載のコンピュータ実装された方法。
【請求項３】
前記１つ又は複数のプロセッサが監視するステップは、前記決済手段と関連付けられる前記１つ又は複数の資金口座のうちの選択された資金口座が金融トランザクションのために使用される確率分布に反する前記決済手段に対する前記現在の行為及び前記決済手段と関連付けられる１つ又は複数の資金口座にまたがる前記現在の行為を分析して、前記決済手段プロファイルにおける変数の外れ値を検出するステップを含む、
請求項１記載のコンピュータ実装された方法。
【請求項４】
前記１つ又は複数のプロセッサが監視するステップは、前記決済手段プロファイル及び前記決済手段と関連付けられる１つ又は複数の資金口座に基づいて行為のお気に入りリストを計算して、前記行為のお気に入りリストは前記決済手段のユーザの行動の正常性を表すステップを含む、
請求項１記載のコンピュータ実装された方法。
【請求項５】
前記１つ又は複数のプロセッサが監視するステップは、前記１つ又は複数の資金口座にまたがる前記決済手段のユーザの複数の行動における１つ又はそれ以上の類似性又は１つ又はそれ以上の差異を決定するステップを含む、
請求項１記載のコンピュータ実装された方法。
【請求項６】
１つ又は複数のプロセッサが、決済手段に対する過去の行為及び前記決済手段と関連付けられる１つ又は複数の資金口座にまたがる過去の行為を監視するステップと、
前記１つ又は複数のプロセッサが、決済手段プロファイルを生成し、当該決済手段プロファイルは、決済手段に対する前記過去の行為及び前記決済手段と関連付けられる１つ又は複数の資金口座にまたがる前記過去の行為を特徴づけるステップと、
前記１つ又は複数のプロセッサが、前記決済手段に対する現在の行為及び前記決済手段と関連付けられる１つ又は複数の資金口座にまたがる現在の行為を監視して、前記決済手段プロファイルに反する異常性を検出するステップと、
を備える、コンピュータ実装された方法。
【請求項７】
前記１つ又は複数のプロセッサが、前記決済手段に対する前記現在の行為及び前記決済手段と関連付けられる１つ又は複数の資金口座にまたがる現在の行為に対する不正スコアを生成し、前記不正スコアは前記異常性の定量化された程度に基づくステップ
をさらに備える、請求項６記載のコンピュータ実装された方法。
【請求項８】
前記決済手段プロファイルは複数の変数を備え、当該複数の変数は、前記決済手段及び前記決済手段と関連付けられる前記１つ又は複数の資金口座を特徴づける、
請求項６記載のコンピュータ実装された方法。
【請求項９】
前記複数の変数は、前記決済手段と関連付けられる金融及び非金融トランザクションと関連付けられる複数の決済手段識別子変数を含む、
請求項８記載のコンピュータ実装された方法。
【請求項１０】
前記複数の変数は、複数の資金口座横断的変数を含み、当該複数の資金口座横断的変数は、前記決済手段と関連付けられる前記１つ又は複数の資金口座の各々の、使用の複数のパターン及び複数の相互関係を特徴づける、
請求項９記載のコンピュータ実装された方法。
【請求項１１】
前記複数の変数は、複数の資金口座サブプロファイルを含み、当該複数の資金口座サブプロファイルは、前記１つ又は複数の資金口座のうちの選択された１つがトランザクションにおいて使用されるときの前記決済手段の使用の複数のパターンを特徴づける、
請求項１０記載のコンピュータ実装された方法。
【請求項１２】
前記１つ又は複数のプロセッサが前記異常性を定量化し、前記定量化は前記複数の変数に基づくステップをさらに備える、
請求項１１記載のコンピュータ実装された方法。
【請求項１３】
前記１つ又は複数のプロセッサが、前記決済手段に対する前記現在の行為及び前記決済手段と関連付けられる１つ又は複数の資金口座にまたがる現在の行為に対する不正スコアを生成し、前記不正スコアは前記異常性の程度の前記定量化に基づくステップをさらに備える、
請求項１２記載のコンピュータ実装された方法。
【請求項１４】
前記１つ又は複数のプロセッサが、前記決済手段に対する現在の行為及び前記決済手段と関連付けられる１つ又は複数の資金口座にまたがる現在の行為の前記監視に基づいて、前記複数の変数を更新するステップをさらに備える、
請求項８記載のコンピュータ実装された方法。
【請求項１５】
１つ又は複数のプロセッサと、
複数の命令を具体的に表現する、実体的に具体化された機械読み取り可能な媒体と、
を備え、
当該複数の命令は、実行時に、前記１つ又は複数のプロセッサに、
決済手段に対する過去の行為及び前記決済手段と関連付けられる１つ又は複数の資金口座にまたがる過去の行為を特徴づける決済手段プロファイルを生成させて、
前記決済手段に対する現在の行為及び前記決済手段と関連付けられる１つ又は複数の資金口座にまたがる現在の行為を監視させて、前記決済手段プロファイルに反する異常性を検出させて、そして
前記決済手段に対する前記現在の行為及び前記決済手段と関連付けられる１つ又は複数の資金口座にまたがる現在の行為に対する不正スコアを生成させて、当該不正スコアは前記異常性の定量化された程度に基づく、
多重決済口座資金分析のためのシステム。
【請求項１６】
前記複数の命令は、実行時に、前記１つ又は複数のプロセッサに、前記決済手段と関連付けられる前記１つ又は複数の資金口座のうちの選択された資金口座が、前記決済手段に対する前記現在の行為内及び前記決済手段と関連付けられる１つ又は複数の資金口座にまたがる現在の行為内の金融トランザクションのために使用される複数の確率分布を計算させる、
請求項１５記載のシステム。
【請求項１７】
前記複数の命令は、実行時に、前記１つ又は複数のプロセッサに、前記決済手段と関連付けられる前記１つ又は複数の資金口座のうちの選択された資金口座が金融トランザクションのために使用される前記複数の確率分布に反する前記決済手段に対する前記現在の行為及び前記決済手段と関連付けられる１つ又は複数の資金口座にまたがる前記現在の行為を分析させて、前記決済手段プロファイルにおける変数の外れ値を検出させる、
請求項１５記載のシステム。
【請求項１８】
前記複数の命令は、実行時に、前記１つ又は複数のプロセッサに、前記決済手段プロファイル及び前記決済手段と関連付けられる１つ又は複数の資金口座に基づいて、行為のお気に入りリストを計算させ、前記行為のお気に入りリストは、前記決済手段のユーザの行動の正常性を表す、
請求項１５記載のシステム。
【請求項１９】
前記複数の命令は、実行時に、前記１つ又は複数のプロセッサに、前記１つ又は複数の資金口座にまたがる前記決済手段のユーザの複数の行動における１つ又はそれ以上の類似性又は１つ又はそれ以上の差異を決定させる、
請求項１５記載のシステム。
【請求項２０】
前記決済手段に対する前記現在の行為及び前記決済手段と関連付けられる１つ又は複数の資金口座にまたがる前記現在の行為を表現するデータを受信する通信インタフェースをさらに備える、
請求項１５記載のシステム。